(57)【要約】      （修正有）【課題】ベルト装着のまま腰袋を着脱できるようにすることを目的とする。【解決手段】上部に突出部２を有するアルミニウム製の板体１の一側突出部２側へ、上下に鋲孔３ａ、３ｂ、３ｃ（全体は３）を設け、他側へ、縦長で、ベルト４の幅より若干縦長いベルト通し溝５を設け、該ベルト通し溝５の一側（鋲孔の反対側）は、上部６ａを連結した弾性変形可能な片持片６により閉塞し、前記ベルト通し溝５の下部立上り片５ａの外側と、前記片持片６の下端との間に、ベルト通し隙間７を設けてベルト通し金具１０を完成した。図中８は腰袋、９、９は腰袋の外側へ取付けた小袋、１１は吊輪、１２は背板である。【選択図】図１
0003113277.tif 000002
【実用新案登録請求の範囲】
【請求項１】
腰袋への取付け部と、ベルト通し溝を有するベルト通し用金具において、前記ベルト通し溝の一側下部にベルト挿脱用切溝を設けたことを特徴とする腰袋のベルト通し用金具。
【請求項２】
腰袋への取付け部と、ベルト通し溝を有するベルト通し用金具において、前記ベルト通し溝の一側部は、前記ベルト通し溝の一側上部を連結した弾性変形できる片持片で形成したことを特徴とする腰袋のベルト通し用金具。
【請求項３】
腰袋への取付け部と、下端を切放したベルト通し溝を有するベルト通し用金具において、前記ベルト通し溝の中央部に、一側上部を連結した弾性変形できる片持仕切片を設けたことを特徴とする腰袋のベルト通し用金具。
【請求項４】
腰袋への取付け部と、ベルト通し溝を有するベルト通し用金具において、前記ベルト通し溝の一側上部を連結した垂下片で形成し、該垂下片の下端部と、前記ベルト通し溝の下端一側の立上り片との間にベルト挿脱口を設けたことを特徴とする腰袋のベルト通し用金具。
【考案の詳細な説明】
【技術分野】
【０００１】
この考案は、腰袋の裏側（身体側）上部に固定し、腰ベルトを挿通して、腰袋を吊下保持することを目的とした腰袋のベルト通し用金具に関する。
【背景技術】
【０００２】
従来腰袋の裏側上部の左右にベルト通し金具を固定し、ベルト通し金具の溝にベルトを挿通して、腰袋を身体へ装着している。
【０００３】
従来腰袋の上部裏側にベルト通し（管状）を取付けてあるのが普通である。
【０００４】
前記ベルト通しは、ズボンの腰廻りに固定するバンド保持片と同一である。
【特許文献１】実開平１−１１４２８７
【特許文献２】特開２０００−３００３２８
【考案の開示】
【考案が解決しようとする課題】
【０００５】
前記従来の腰袋に固定したベルト通しは、何れも管状であるから、ベルトの先端側から順次挿通しなければならない問題点があった。
【０００６】
従って、一旦装着した腰袋は、ベルトを外さなければ、身体から取り去ることができない問題点があった。
【０００７】
前記腰袋は、主として工事などの際工具を入れる袋であるから、工事の種類によっては腰袋が不要の場合もあるが、このような場合に、ベルトを解いて腰袋を外さなければならない問題点があった。
【課題を解決するための手段】
【０００８】
然るにこの考案は、ベルト通し溝の一部を開口させることにより、ベルトの中間部で腰袋の着脱が可能となり、前記従来の問題点を解決したのである。
【０００９】
この種腰袋は、高い位置（地上から数ｍ〜数十ｍ）で作業するのであるから、腰袋がベルトから意に反して外れることがあってはならない。
【００１０】
然るにこの考案は、ベルト通し溝の一側に、ベルト挿入口を設けたり、一側の変形を容易にするなど、ベルトを外すことなく、腰袋を着脱できるようにして、前記従来の問題点を解決したのである。
【００１１】
即ちこの考案は、腰袋への取付け部と、ベルト通し溝を有するベルト通し用金具において、前記ベルト通し溝の一側下部にベルト挿脱用切溝を設けたことを特徴とする腰袋のベルト通し用金具であり、腰袋への取付け部と、ベルト通し溝を有するベルト通し用金具において、前記ベルト通し溝の一側部は、前記ベルト通し溝の一側上部を連結した弾性変形できる片持片で形成したことを特徴とする腰袋のベルト通し用金具である。
【００１２】
また他の考案は、腰袋への取付け部と、下端を切放したベルト通し溝を有するベルト通し用金具において、前記ベルト通し溝の中央部に、一側上部を連結した弾性変形できる片持仕切片を設けたことを特徴とする腰袋のベルト通し用金具であり、腰袋への取付け部と、ベルト通し溝を有するベルト通し用金具において、前記ベルト通し溝の一側上部を連結した垂下片で形成し、該垂下片の下端部と、前記ベルト通し溝の下端一側の立上り片との間にベルト挿脱口を設けたことを特徴とする腰袋のベルト通し用金具である。
【００１３】
この考案に用いる金具は、アルミニウム、ステンレススチール又は鋼板にクロームメッキをして用いるが、金属と同等の強度と剛性を有し、温度脆性のない（少ない）合成樹脂ならば、同様に使用することができる。
【考案の効果】
【００１４】
この考案によれば、ベルト通し溝の下側を開口できるので、ベルトを身体に装着したまま腰袋のみを着脱することができる効果がある。
【００１５】
然してベルトを弛めれば、ベルトの中間部を、前記金具の溝へ容易に挿通し得る効果があり、ベルト挿通後は、ベルトが挿通状態で安定し、意に反して腰袋が外れるおそれはない。
【考案を実施するための最良の形態】
【００１６】
アルミニウム板の一側に固定用鋲孔を設け、他側に、ベルトが縦に収容できるベルト通し溝を設け、このベルト通し溝の一側（鋲孔と反対側）の、上部を連結し、下部を切放して、該切放し部から、ベルトを挿脱できるようにして、この考案を完成した。
【００１７】
前記切放し部から、ベルトを挿入できるので、腰袋の着脱に際し、ベルトを外す必要なく、ベルト装着のまま腰袋を着脱することができる。
【実施例１】
【００１８】
この考案の実施例を図１について説明すれば、上部に突出部２を有するアルミニウム製の板体１の一側突出部２側へ、上下に鋲孔３ａ、３ｂ、３ｃ（全体は３）を設け、他側へ、縦長で、ベルト４の幅より若干縦長いベルト通し溝５を設け、該ベルト通し溝５の一側（鋲孔の反対側）は、上部６ａを連結した弾性変形可能な片持片６により閉塞し、前記ベルト通し溝５の下部立上り片５ａの外側と、前記片持片６の下端との間に、ベルト通し隙間７を設けてベルト通し金具１０を完成した。図中８は腰袋、９、９は腰袋の外側へ取付けた小袋、１１は吊輪、１２は背板である。
【００１９】
図２の実施例は、前記図１の実施例の片持片６の基部に小溝６ｂを設けた点が異なる。前記小溝６ｂは、ベルト４の上縁を一旦入れてから、ベルト４の下縁をベルト通し溝５の下縁５ｇへ導き、ついで上縁５ｂ側へ移す為のベルト挿入時に一旦移す為の溝である。
【実施例２】
【００２０】
この考案の実施例を図２（ｂ）、（ｃ）に基づいて説明すると、アルミニウム製の板体１内の一側突部２側へ、上下に鋲孔３ａ、３ｂ、３ｃを設け、他側へ縦長で、ベルト４の幅より若干縦長で、ベルト４の幅より縦長いベルト通し溝５を設ける。前記溝５の中央上部へ、片持仕切片６ｃの上部を連設し、片持仕切片６ｃの下端部６ｄは前記ベルト通し溝５の下辺の小溝５ｃに嵌め込まれている。
【００２１】
前記において、金具にベルト４を挿通するには、片持片６を矢示１３のように持ち上げ、ベルト４を矢示１４のように挿入（実際上は、ベルト４の高さ一定で金具を矢示１５のように押し下げる）する。
【００２２】
そして、片持片６を放せば、その弾性で旧位置へ戻るので、ベルト４は溝５ｅ、５ｆに屈曲挿通される。
【００２３】
次に、図２（ｃ）の実施例は、図２（ａ）の実施例の片持片６の下部をベルト通し溝５側へ屈曲（６ｅ）し、片持片６の下端６ｅと、溝５の立上り片５ａとの間にベルト４の挿入口５ｄを設けた構造である。
【００２４】
この金具の場合に、ベルト４は、挿入口５ｄから矢示１６のように挿入され、溝５の上下弧状部５ｂ、５ｇ間へ収まることになる。
【図面の簡単な説明】
【００２５】
【図１】この考案の実施例の使用状態における斜視図。
【図２】（ａ）同じく他の実施例の正面図、（ｂ）同じく他の実施例の拡大斜視図、（ｃ）同じく他の実施例の拡大斜視図。
【符号の説明】
【００２６】
１  板体
２  突出部
３ａ、３ｂ、３ｃ  鋲孔
４  ベルト
５  ベルト通し溝
６  片持片
７  隙間
【図１】
0003113277.tif 000003
【図２】
0003113277.tif 000004